(57)【要約】      （修正有）【課題】コードリール自体を実質的に移動させなくても電動機械や家電等の装置に電力を供給できるコードリールや、コードリール部での故障の発生を起こさず、とり回りの良い、電気掃除機や電動工具を提供する。【解決手段】コードリール１は、一方の端に外部機器の電気プラグが差し込まれるプラグ受け６０を有する電気コード５０と、電気コード５０が巻きつけられるドラム１０と、外部の電源から電力を取得可能であると共に電気コード５０に電気的に接続されているプラグ６５を有し、ドラム１０を保持するスタンド３０とを備える。【選択図】図１
0003184109.tif 000002
【実用新案登録請求の範囲】
【請求項１】
一方の端に外部機器の電気プラグ、または、外部機器の電気プラグ部が差し込まれるプラグ受けを有する電気コードと、
前記電気コードが巻きつけられるドラムと、
外部の電源から電力を取得可能であると共に前記電気コードに電気的に接続されているプラグを有し、前記ドラムを保持するスタンドと
を備えることを特徴とするコードリール。
【請求項２】
請求項１に記載のコードリールであって、
前記ドラムの回転軸を支持し、前記スタンドに保持される支持部と、
前記支持部と前記スタンドとを回転自在に連結し、前記電気コードの他方の端と前記スタンドの前記プラグとを電気的に接続する回転部と
を更に備えることを特徴とするコードリール。
【請求項３】
請求項１に記載のコードリールであって、
一方の端に外部のコンセントに差し込まれるプラグを有する他の電気コードが巻きつけられるドラムを更に備え、
前記電気コードの他方の端と前記他の電気コードの他方の端とが電気的に接続されていることを特徴とするコードリール。
【請求項４】
請求項１に記載のコードリールであって、
一方の端に外部のコンセントに差し込まれるプラグを有する他の電気コードが前記電気コードと共にドラムに巻き付けられており、
前記電気コードの他方の端と前記他の電気コードの他方の端とが電気的に接続されていることを特徴とするコードリール。
【請求項５】
請求項１〜４のいずれか１項に記載のコードリールであって、
前記ドラムは、前記ドラムの周辺に前記ドラムの回転により巻き上げられるゼンマイと、巻き上げられたゼンマイを巻き上げられた状態で保持する保持部と、前記保持部が保持している前記巻き上げられたゼンマイを、巻き上げられる前の状態に戻す解除部とを有することを特徴とするコードリール。
【請求項６】
請求項１〜５のいずれか１項に記載のコードリールであって、
前記プラグ受けに、前記外部機器の電気プラグ部との引き抜け防止用のロック部を設けたこと
を特徴とするコードリール。
【請求項７】
請求項１〜６のいずれか１項に記載のコードリールを接続して使用するコード接続型電気掃除機又はコード接続型電気アイロン又はコード接続型電動工具であって、
前記コード接続型電気掃除機又はコード接続型電気アイロン又はコード接続型電動工具に前記コードリールのプラグ受けに対する電気プラグ部を設けたこと
を特徴とするコード接続型電気掃除機又はコード接続型電気アイロン又はコード接続型電動工具。
【請求項８】
請求項７項に記載のコード接続型電気掃除機又はコード接続型電気アイロン又はコード接続型電動工具であって、
前記電気プラグ部に、前記コードリールのプラグ受け引き抜き防止用のロック部を設けたこと
を特徴とするコード接続型電気掃除機又はコード接続型電気アイロン又はコード接続型電動工具。
【考案の詳細な説明】
【技術分野】
【０００１】
本考案は、コードリールに関する。
【背景技術】
【０００２】
従来、延長コードが巻かれたドラムと、ドラムの回転軸をその一端部において片持ち状に支持する支持フレームと、支持フレームに固定したコンセントボックスと、延長コードの基端部とコンセントボックスからの配線コードとの間に設けられ、ドラムの回転を許容しつつ延長コードをコンセントボックスに電気的に常時接続する接続手段と、回転軸の他端部側のドラムの側板に取付けた把手とを備えたコードリールが知られている（例えば、特許文献１参照。）。特許文献１に記載のコードリールによれば、ドラムに対する延長コードの巻取／繰出しを円滑にできる。
【先行技術文献】
【特許文献】
【０００３】
【特許文献１】特開平１０−６９９３５号公報
【特許文献２】特開２００６−３１２５１８号公報
【考案の概要】
【考案が解決しようとする課題】
【０００４】
しかし、特許文献１に記載されているコードリールは、電動機械器具や家電等が備える電気コードが届く範囲に当該コードリールを設置することを要するので、コードリール自体を電動機械器具や家電等の装置の近傍に持ち運ばなければならない場合がある。また、特許文献２には、コード巻き取り装置が記載され、様々な配置態様で様々な箇所からコードを引き出すことで電気掃除機の形状に配慮したコードリールが開示されているが、小型化をすることによりコードの長さの制限や巻き取り部の故障などが発生しやすい。また、コード部の不良により、本体自身も買い換えることに成りやすかった。
【０００５】
したがって、本考案の目的は、コードリール自体を実質的に移動させなくても電動機械や家電等の装置に電力を供給できるコードリールや、コードリール部での故障の発生を起こさず、とり回りの良い、電気掃除機、電気アイロンや電動工具を提供することにある。
【課題を解決するための手段】
【０００６】
本考案は、上記目的を達成するため、一方の端に外部機器の電気プラグ（または、電気部プラグ部）が差し込まれるプラグ受けを有する電気コードと、電気コードが巻きつけられるドラムと、外部の電源から電力を取得可能であると共に電気コードに電気的に接続されているプラグを有し、ドラムを保持するスタンドとを備えるコードリールが提供される。また、かかるコードリールを接続して使用するコード接続型電気掃除機又はコード接続型電気アイロン又はコード接続型電動工具であって、コードリールのプラグ受けに対する電気プラグ部を設けたコード接続型電気掃除機又はコード接続型電気アイロン又はコード接続型電動工具が提供される。
【考案の効果】
【０００７】
本考案に係るコードリールによれば、コードリール自体を実質的に移動させなくても電動機械や家電等の装置に電力を供給できるコードリールや、コードリール部での故障の発生を起こさず、とり回りの良い、電気掃除機や電動工具を提供できる。
【図面の簡単な説明】
【０００８】
【図１】本考案の第１の実施の形態に係るコードリールの斜視図である。
【図２】本考案の第１の実施の形態に係るコードリールにおける電気コードの配線の概要図である。
【図３】本考案の第２の実施の形態に係るコードリールの斜視図である。
【図４】本考案の第１又は第２の実施の形態に係るコードリールの使用状態図である。
【図５】本考案の第３の実施の形態に係るコードリールの概要図である。
【図６】本考案の第４の実施の形態に係るコードリールが備えるプラグ受けの概要図である。
【図７】本考案の第５の実施の形態に係るコードリールの概要図である。
【図８】本考案の第５の実施の形態の変形例に係るコードリールの概要図である。
【図９】本考案の第５の実施の形態に係るコードリールの使用図である。
【図１０】本考案の第１乃至第５の実施の形態に係るコードリールを用いたコード接続型電気掃除機の概要図である。
【図１１】本考案の第１乃至第５の実施の形態に係るコードリールを用いたコード接続型電動工具の概要図である。
【図１２】本考案の第１乃至第５の実施の形態に係るコードリールを用いたコード接続型電気アイロンの概要図とアイロン台に適用したコードリールの概要図である。
【考案を実施するための形態】
【０００９】
［第１の実施の形態］
図１は、本考案の第１の実施の形態に係るコードリールの斜視図の一例を示す。
【００１０】
（コードリール１の概要）
第１の実施の形態に係るコードリール１は、電源から離れた位置で用いられる外部の機器（「外部機器」という）に電力を供給する装置である。外部機器は、電動機械（例えば、電動ドリル、電動のこぎり等）や家電等の電気器具（例えば、掃除機、アイロン等）である。コードリール１は、外部機器が備える電気プラグ（差し込みプラグ）が差し込まれるプラグ受け６０を先端に有する電気コード５０と、電気コード５０を巻きつけて収納するドラム１０と、ドラム１０を回転自在に支持する支持部２０とを備える。また、コードリール１は、外部の電源（例えば、コンセント）に差し込まれるプラグ６５が一方の端に設けられている電気コード５５を有し、支持部２０を介してドラム１０を保持するスタンド３０を備える。後述するように、電気コード５５のプラグ６５が外部から取得する電力が、電気コード５０を介してプラグ受け６０から外部機器に供給される。
【００１１】
具体的に、コードリール１は、一方の端にプラグ受け６０を有する電気コード５０と、電気コード５０が巻きつけられると共に回転軸７０を軸として回転可能なドラム１０と、ドラム１０の回転軸７０を支持する支持部２０と、プラグ６５を介して外部の電源から電力を取得可能である電気コード５５を有するスタンド３０と、スタンド３０に対して支持部２０を回転自在に連結する回転部４０とを備える。ここで、電気コード５０の他方の端と電気コード５５のプラグ６５が設けられている端とは反対側の端とは、回転軸７０、支持部２０、及び回転部４０を介して電気的に互いに接続される。なお、コードリール１は、コードリール１の持ち運び時にコードリール１を持ち上げる持ち手８０を更に備える。また、持ち手８０の端部には、グリップ８５が設けられる。
【００１２】
（電気コード５０及び電気コード５５、並びにプラグ受け６０及びプラグ６５）
電気コード５０及び電気コード５５は、例えば、銅等の導電性に優れた電気材料を用いて形成される２本の芯を含む２芯の電気コードである。そして、ドラム１０に巻きつけられてドラム１０に収納される電気コード５０は、一方の端にプラグ受け６０を有する。すなわち、本実施の形態においてドラム１０が収納する電気コード５０の先端には、メスのプラグが接続されている。一方、スタンド３０が有する電気コード５５は、一方の端にプラグ６５を有する。すなわち、スタンド３０から延びている電気コード５５の先端には、オスのプラグが接続されている。
【００１３】
そして、電気コード５０の他方の端と電気コード５５の他方の端とは、回転軸７０、支持部２０、及び回転部４０を介して電気的に接続される。また、電気コード５０は、電気コード５５の長さより長い。電気コード５０は、一例として、数メートルから数十メートルの長さを有する。なお、電気コード５０は、一方の端に複数の受け口を含むプラグ受けを有することもできる。この場合、コードリール１は、複数の電動機械や複数の電気器具に対して電力を供給できる。
【００１４】
（ドラム１０）
ドラム１０は、電気コード５０が巻きつけられる胴部と、胴部の両端に設けられ、胴部の直径より大きな直径を有する側面部と、胴部及び両側面部の中心を貫通する回転軸７０とを有する。電気コード５０は、胴部の予め定められた位置に設けられる貫通孔を介して回転軸７０に接続される。
【００１５】
なお、ドラム１０は、ドラム１０の内部にドラム１０の回転により巻き上げられるゼンマイと、巻き上げられたゼンマイを巻き上げられた状態で保持する保持部と、保持部が保持している巻き上げられたゼンマイを、巻き上げられる前の状態に戻す解除部とを有することもできる。
【００１６】
すなわち、電気コード５０をドラム１０から引き出すことによりドラム１０は回転する。ドラム１０が回転すると、ドラム１０内部に設けられているゼンマイが巻き上げられる。保持部は、巻き上げられたゼンマイを巻き上げられた状態で保持する。保持部は、例えば、ストッパーとしてのラチェット式の歯止め及びブレーキを有して構成される。保持部は、ゼンマイが巻き上げられた場合、歯止め及びブレーキによりゼンマイを巻き上げられた状態で保持する。
【００１７】
一方、解除部は、巻き上げられたゼンマイを巻き上げられる前の状態に戻す。例えば、解除部は、ゼンマイを保持している歯止めを外す機能を有する。歯止めが外れるとブレーキが解除される。そして、巻き上げられたゼンマイには巻き上げられる前の状態に戻る力が作用するので、ドラム１０が電気コード５０を引き出した方向とは反対側に回転する。これにより、ドラム１０から引き出された電気コード５０は、ユーザーがドラム１０を回転させなくても自動的にドラム１０に再び巻きつけられる。
【００１８】
（支持部２０）
支持部２０は、ドラム１０の回転軸７０の両端を回転自在に支持する。本実施の形態に係る支持部２０は回転軸７０の両端を支持するが、本実施の形態の変形例に係る支持部２０は回転軸７０の一方の端だけを支持することもできる。例えば、ドラム１０が収納する電気コード５０の質量と支持部２０の強度とに応じて、支持部２０が回転軸７０の両端を支持するか、あるいは一方の端だけを支持するかを決定できる。例えば、ドラム１０が収納する電気コード５０が予め定められた質量以上である場合、支持部２０は、回転軸７０の両端を支持する。一方、電気コード５０の質量が予め定められた質量未満である場合、支持部２０は、回転軸７０の一方の端だけを支持する。
【００１９】
（スタンド３０及び回転部４０）
スタンド３０は、支持部２０を介し、スタンド３０に対してドラム１０を回転自在に保持する。具体的に、スタンド３０と支持部２０とは、回転自在の回転部４０によって互いに連結される。回転部４０は、略円柱形状を有すると共に、一方の端に支持部２０が固定され、他方の端がスタンド３０に固定される。そして、回転部４０は、スタンド３０に対して支持部２０が回転自在になる回転機構を含んで形成される。なお、後述するように、回転軸７０、支持部２０、及び回転部４０を介して電気コード５５の他方の端が電気コード５０の他方の端と電気的に接続される。
【００２０】
（電気コード５０と電気コード５５との電気的接続の詳細）
図２は、第１の実施の形態に係るコードリールにおける電気コードの配線の概要の一例を示す。具体的に、図２は、回転軸７０を軸としてドラム１０が回転する場合、及び回転部４０を軸として支持部２０がスタンド３０に対して回転する場合において、プラグ６５からプラグ受け６０に対して電力を供給する電気配線の一例を示す。
【００２１】
電気コード５０の端と電気コード５５の端とは、回転軸７０、支持部２０、及び回転部４０を介して電気的に接続されている。まず、電気コード５０は、２本の芯線５００及び芯線５１０を含んで構成される。同様に、電気コード５５は、２本の芯線５５０及び芯線５５５を含んで構成される。
【００２２】
回転軸７０は、回転軸７０の表面に固定される接触部７００と、接触部７００とは電気的に絶縁されると共に回転軸７０の表面に固定される接触部７０５とを有する。接触部７００及び接触部７０５はそれぞれ、導電性材料を用いて形成される。なお、接触部７００及び接触部７０５と、少なくとも接触部７００及び接触部７０５が設けられている回転軸７０の表面との間も電気的に絶縁されている。そして、電気コード５０の芯線５００は、接触部７００に電気的に接続され、電気コード５０の芯線５１０は、接触部７０５に電気的に接続される。
【００２３】
また、回転軸７０は、接触部７００に電気的に接続すると共に接触部７００の外表面に沿って回転自在に設けられる接触端子９０と、接触部７０５に電気的に接続すると共に接触部７０５の外表面に沿って回転自在に設けられる接触端子９２とを更に有する。接触端子９０及び接触端子９２はそれぞれ、導電性材料を用いて形成される。また、接触端子９０及び接触端子９２はそれぞれリング形状を有する。なお、本実施の形態の変形例においては、接触端子９０及び接触端子９２はそれぞれブラシ形状を有することもできる。
【００２４】
そして、接触端子９０及び接触端子９２はそれぞれ、回転軸７０が支持部２０に対して回転した場合であっても、回転軸７０に対する位置を回転軸７０の回転によっては実質的に変化させない構造を有する。例えば、接触端子９０と接触端子９２との間に支持部２０が回転軸７０の端部を支持する貫通孔が位置する。そして、当該貫通孔の近傍であって支持部２０の一方の面に接触端子９０が固定され、他方の面に接触端子９２が固定される。
【００２５】
一方、回転部４０は、回転部４０の表面に固定される接触部４００と、接触部４００とは電気的に絶縁されると共に回転部４０の表面に固定される接触部４０５とを有する。接触部４００及び接触部４０５はそれぞれ、導電性材料を用いて形成される。なお、接触部４００及び接触部４０５と、少なくとも接触部４００及び接触部４０５が設けられている回転部４０の表面との間も電気的に絶縁されている。そして、電気コード５５の芯線５５０は接触部４００に電気的に接続され、電気コード５５の芯線５５５は接触部４０５に電気的に接続される。
【００２６】
また、回転部４０は、接触部４００に電気的に接続すると共に接触部４００の外表面に沿って回転自在に設けられる接触端子９４と、接触部４０５に電気的に接続すると共に接触部４０５の外表面に沿って回転自在に設けられる接触端子９６とを更に有する。接触端子９４及び接触端子９６はそれぞれ、導電性材料を用いて形成される。また、接触端子９４及び接触端子９６はそれぞれ、リング形状を有する。なお、本実施の形態の変形例においては、接触端子９４及び接触端子９６はそれぞれブラシ形状を有することもできる。
【００２７】
そして、接触端子９４及び接触端子９６はそれぞれ、支持部２０が、スタンド３０に対して回転部４０を軸にして回転した場合であっても、回転部４０に対する位置を支持部２０の回転によっては実質的に変化させない構造を有する。例えば、接触端子９４と接触端子９６との間に回転部４０が支持部２０を支持する貫通孔であって支持部２０に設けられる貫通孔が位置する。そして、当該貫通孔の近傍であって支持部２０の一方の面に接触端子９４が固定され、他方の面に接触端子９６が固定される。
【００２８】
そして、接触端子９０と接触端子９４とが配線１００により電気的に接続され、接触端子９２と接触端子９６とが配線１０５により電気的に接続される。配線１００及び配線１０５はそれぞれ、支持部２０の表面若しくは内部に固定されて設けられる。したがって、接触端子９０及び接触端子９２、配線１００及び配線１０５、並びに接触端子９４及び接触端子９６はそれぞれ、回転軸７０の回転や回転部４０の回転によっては実質的に可動しないことになる。
【００２９】
（第１の実施の形態の効果）
第１の実施の形態に係るコードリール１は、先端にプラグ受け６０を有する電気コード５０をドラム１０に収納しているので、ドラム１０、支持部２０、及びスタンド３０を備えるコードリール１自体を移動させなくても、電源（例えば、壁に設けられているコンセント）から離れた位置に存在する外部機器にプラグ受け６０を容易に到達させることができる。
【００３０】
例えば、広い部屋を掃除機で掃除する場合、壁に設けられているコンセントにプラグ６５を差し込み、掃除機が備える電気プラグをプラグ受け６０に差し込むと、掃除機とドラム１０との距離に応じた長さの電気コード５０が引き出される。したがって、掃除機の電気コードが比較的短い場合であっても、コードリール１を掃除機の近傍に持ち運ぶことなく、若しくはコードリール１を複数回移動させることなく、掃除機を用いて広い部屋をくまなく掃除できる。
【００３１】
また、コードリール１は、支持部２０とスタンド３０とを回転部４０によって連結しているので、電気コード５０が引き出される方向に対応して支持部２０が回転する。これにより、コードリール１によれば、プラグ受け６０に接続されている外部機器が存在している方向にドラム１０及び支持部２０が回転するので、電気コード５０をスムーズに引き出すことができる。
【００３２】
更に、コードリール１は、コードリール１から離れた位置まで電気コード５０を引き出すことができるので、外部機器（例えば、電気ドリルや掃除機）を用いる場合に、外部機器が備える延長コードを用いることを要さない。言い換えれば、本実施の形態に係るコードリール１を用いると、外部機器自身は延長コードを備えることを要さないので、外部機器から延長コードをなくすことができる。特に、従来の電気掃除機等は延長コードの収納部の全体に占める割合が大きい。また自動巻き取りのための機構が製造コストを押し上げている。外部機器自身が延長コードを備える必要がなくなれば、設計の自由度が増すと共に、製造コストを下げることができる。また、外部機器の延長コードが断線することによる不具合の発生を防止できるので、外部機器が使用不可能になることを防止して、外部機器全体の耐用年数を延ばし、廃棄を抑制できる。
【００３３】
［第２の実施の形態］
図３は、本考案の第２の実施の形態に係るコードリールの斜視図の一例を示す。
【００３４】
第２の実施の形態に係るコードリールは、プラグ受け６０を先端に有する電気コード５０と、電気コード５０を巻きつけて収納するドラム１０と、外部のコンセントに差し込まれるプラグとしてのプラグ６５を先端に有する他の電気コードとしての電気コード５５と、電気コード５５を巻きつけて収納するドラム１２と、ドラム１０及びドラム１２のそれぞれを回転自在に支持する脚３５と、ドラム１０及びドラム１２の中心軸を貫通し、ドラム１０及びドラム１２を回転可能にする回転軸７２とを備える。電気コード５０と電気コード５５とは、回転軸７２内において電気的に接続される。また、第２の実施の形態に係る電気コード５０及び電気コード５５はいずれも、数メートルから数十メートルの長さを有する。
【００３５】
第２の実施の形態に係るコードリールによれば、電気コード５０を引き出すことにより外部機器の近傍にプラグ受け６０を配置することができると共に、プラグ６５もドラム１２から引き出すことができる。したがって、第２の実施の形態に係るコードリールによれば、電源（例えば、コンセント）から離れた位置にコードリールを配置することができると共に、更にコードリールから離れた位置において、電動機械や電気器具を用いることができる。
【００３６】
なお、第２の実施の形態に係るコードリールは、第１の実施の形態に係るコードリール１の構成及び機能の一部又は全部を備えることもできる。
【００３７】
図４は、本考案の第１又は第２の実施の形態に係るコードリールの使用状態の一例を示す。具体的に図４においては、一例として、第１の実施の形態に係るコードリール１を例に挙げ、ロビー、会場等の広い部屋９を掃除機７で清掃する場合を説明する。
【００３８】
まず、広い部屋９の中央付近にコードリール１を配置する。そして、コードリール１が備える電気コード５５の先端のプラグ６５を部屋９のコンセント５に挿入する。次に、コードリール１が備える電気コード５０の先端のプラグ受け６０に業務用の掃除機７の電気プラグを差し込む。これにより、掃除機７に電力が供給される。そして、部屋９を掃除機７で清掃する場合、部屋９内における掃除機７の移動に伴って電気コード５０は自在に伸びる。したがって、コードリール１を用いることにより、コンセント５の位置を変更せずとも、掃除機７を用いて部屋９の隅々まで清掃することができる。
【００３９】
［第３の実施の形態］
図５は、本考案の第３の実施の形態に係るコードリールの概要の一例を示す。
【００４０】
第３の実施の形態に係るコードリール２は、コードリール２が横置きの形態であり、筐体２００を備える点を除き第１の実施の形態に係るコードリール１と略同一の構成及び機能を有する。したがって、相違点を除き詳細な説明は省略する。
【００４１】
コードリール２は、回転軸が水平面に対して略鉛直方向であるドラム１４と、ドラム１４に巻きつけられる電気コード５０と、電気コード５０に電気的に接続され、電気コード５０とは独立にドラム１４に巻きつけられる電気コード５５と、ドラム１４から引き出された電気コード５０を巻き取るプラグ受け側巻き取りゼンマイ４５と、ドラム１４から引き出された電気コード５５を巻き取るプラグ側巻き取りゼンマイ４７とを筐体２００内に備える。なお、プラグ受け６０は電気コード５０の先端に設けられ、プラグ６５は電気コード５５の先端に設けられる。
【００４２】
また、コードリール２は、ドラム１４から引き出された電気コード５０を引き出された状態に保持するプラグ受け側ブレーキ部６２と、ドラム１４から引き出された電気コード５５を引き出された状態に保持するプラグ側ブレーキ部６７と、プラグ受け側ブレーキ部６２による電気コード５０の保持状態を解除するプラグ受け側ブレーキ解除部６４と、プラグ側ブレーキ部６７による電気コード５５の保持状態を解除するプラグ側ブレーキ解除部６９とを更に備える。
【００４３】
更に、コードリール２は、筐体２００を支える複数の足３７と、複数の足３７のそれぞれと床との接触部分に設けられる吸盤３９と、筐体２００に収納可能である持ち運び用の取っ手８７とを備える。取っ手８７により、コードリール２を様々な場所に持ち運ぶことができる。
【００４４】
コードリール２においては、筐体２００からプラグ受け６０を引き出した場合、プラグ受け側巻き取りゼンマイ４５が巻き上げられる。そして、プラグ受け側ブレーキ部６２が、電気コード５０が引き出された状態を保持する。続いて、プラグ受け側ブレーキ解除部６４が当該保持状態を解除すると、プラグ受け側巻き取りゼンマイ４５が初期の状態に戻ろうとするので、電気コード５０はドラム１４に自動的に巻き取られる。同様に、プラグ６５を筐体２００から引き出した場合も、プラグ側ブレーキ解除部６９が引き出された電気コード５５の保持状態を解除することで、電気コード５５はドラム１４に自動的に巻き取られる。
【００４５】
また、足３７には吸盤３９が設けられているので、コードリール２を床等に設置した場合、電気コード５０及び電気コード５５を筐体２００から引き出した場合であっても、コードリール２が床の上を滑り動くことを抑制できる。なお、吸盤３９の代わりにゴム等の材料を用いて形成され、表面に凹凸を有する滑り止め部を足３７に設けることもできる。滑り止め部を足３７に設けることにより、吸盤３９が吸着しない絨毯等の床に対しても、コードリール２が滑り動くことを抑制できる。
【００４６】
なお、足３７に、吸盤３９の代わりにキャスターを設けることもできる。足３７にキャスターを設けることにより、床の上等におけるコードリール２の移動性を向上できる。また、足３７にキャスターを設けることにより、コードリール２から電気コード５０及び電気コード５５を予め引き出した状態であっても、コードリール２の向きを容易に変更することができると共にコードリール２を所望の位置に容易に移動させることができる。
【００４７】
［第４の実施の形態］
図６は、本考案の第４の実施の形態に係るコードリールが備えるプラグ受けの概要を示す。
【００４８】
第４の実施の形態に係るコードリール及び外部機器としての電気機器は、プラグ受けが引き抜け防止用のロック機構（ロック部）を更に備える点を除き、第１の実施の形態に係るコードリール１、第２の実施の形態に係るコードリール、又は第３の実施の形態に係るコードリール２と略同一の構成及び機能を備える。したがって、相違点を除き詳細な説明は省略する。
【００４９】
まず、本実施の形態に係るコードリールを用いて電力が供給される電気機器は、外部から電力を受け取る電気プラグ部としての凹みプラグ３１０を備え、当該電気機器の筐体から引き出される電気コード、及び当該電気コードの先端に設けられるプラグを有さない構成になっている。
【００５０】
本実施の形態に係るコードリールのプラグ受け６１及び電気機器が備える凹みプラグ３１０は、図６の（ａ）に示すように、プラグ受け６１が凹みプラグ３１０の挿入部３１６に挿入され、プラグ受け６１とプラグ受け６１と電気的に接続するピン３１４とが接続された場合、凹みプラグ３１０からプラグ受け６１が容易に抜け落ちない構造を有する。具体的に、凹みプラグ３１０は、プラグ受け６１が挿入される側の開口付近に軸３１２により稼働可能に設けられるロックブロック３００を有する。ロックブロック３００は、プラグ受け６１の電気コード５０側の端部に設けられている凹み部６００に噛み合う凸部３０２を有する。
【００５１】
一方、プラグ受け６１は、凹みプラグ３１０のピン３１４に接続する端部と電気コード５０が延びている側の端部との間の所定の位置に、断面視において挿入部３１６の開口幅より幅広の凸部６０２を有する。プラグ受け６１がロックブロック３００の端部から挿入部３１６に向けて挿入されると、凸部６０２がロックブロック３００の内壁に接触する。そして、ロックブロック３００の開口側が閉じる方向にロックブロック３００は移動する。更に、ロックブロック３００の凸部３０２と、プラグ受け６１の凹み部６００とが噛み合うように、ロックブロック３００は軸３１２を中心に移動する。最終的には、凸部３０２と凹み部６００とが噛み合い、プラグ受け６１が凹みプラグ３１０に固定される。
【００５２】
一方、プラグ受け６１を凹みプラグ３１０から引き抜く場合、図３の（ｂ）及び（ｃ）に示すようにロックブロック３００の開口側を開くと、ロックブロック３００の内壁がプラグ受け６１の凸部６０２に接触し、挿入部３１６から押し出す方向にプラグ受け６１を押し出す。これにより、ロックブロック３００の開口側を広げるだけで、プラグ受け６１を電気機器から容易に取り外すことができる。
【００５３】
［第５の実施の形態］
図７は、本考案の第５の実施の形態に係るコードリールの概要を示す。
【００５４】
第５の実施の形態に係るコードリール４は、プラグ受け６０が接続された電気コード５０と、プラグ６５が接続された他の電気コード５５とを同一のドラムに巻き付けている点を除き、第１の実施の形態に係るコードリール１、第２の実施の形態に係るコードリール、又は第３の実施の形態に係るコードリール２と略同一の構成及び機能を備える。したがって、相違点を除き詳細な説明は省略する。
【００５５】
本実施の形態に係るプラグ受け６０に接続された電気コード５０とプラグ６５に接続された電気コード５５とは互いに接続され、円盤状のドラムに巻かれる。そして、電気コード５０及び電気コード５５は同一の引き出し口２１０から筐体２００の外部に引き出される。また、ドラムには、電気コード５０及び電気コード５５の巻き取り用ゼンマイと、巻き上げられたゼンマイを巻き上げられた状態で保持する保持機能と、巻き上げられたゼンマイを巻き上げられる前の状態に復帰させる解除機能とが設けられている。更に、コードリール４は、筐体２００の底面に複数のキャスター８９を備える。したがって、コードリール４は、床等の平面上を容易に移動させることができる。また、本実施の形態に係るコードリール４は、電気コード５０及び電気コード５５を同一のドラムに巻きつけるので、構造を簡易化することができる。
【００５６】
図８は、本考案の第５の実施の形態の変形例に係るコードリールの概要を示す。
【００５７】
第５の実施の形態の変形例に係るコードリール４ａは、ドラムの構造が異なる点を除き、第５の実施の形態に係るコードリール４と略同一の構成及び機能を備える。したがって、相違点を除き詳細な説明は省略する。
【００５８】
コードリール４ａは、電気コード５２を縦型のドラム１６に巻きつけて保持する。そして、ドラム１６は、電気コード５２が巻きつけられる溝１１０を有する。また、ドラム１６は、電気コード５２をドラム１６に固定するコード止め１６０を有して構成される。本変形例においてプラグ受け６０とプラグ６５とは、一本の電気コード５２の一方の端部と他方の端部とにそれぞれ接続される。
【００５９】
すなわち、本変形例において電気コード５２は、一方の端部と他方の端部との間の所定の位置（つまり、折り返し部分５２０）で二つ折りにされ、ドラム１６の溝１１０に沿ってドラムに巻きまわされる。そして、電気コード５２の両端が、同一の引き出し口２１０から引き出される構成になっている。電気コード５２は、例えば、折り返し部分５２０付近でコード止め１６０によってドラム１６に固定される。なお、ドラム１６は、電気コード５２を巻き取る場合に巻き上げられるゼンマイ４６と、巻き上げられたゼンマイ４６を巻き上げられた状態で保持する保持機能と、巻き上げられたゼンマイ４６を巻き上げられる前の状態に復帰させる解除機能とを更に有する。
【００６０】
図９は、本考案の第５の実施の形態に係るコードリールの使用例の一例を示す。具体的に図９（ａ）はコードリール４がコンセント５の近傍に位置する場合を示し、図９（ｂ）はコードリール４がコンセント５の遠方に位置する場合を示す。
【００６１】
コードリール４においては、電気コード５０及び電気コード５５は同一のドラムに巻きまわされているので、電気コード５０又は電気コード５５のいずれか一方を筐体２００から引き出すと他方の電気コードも実質的に同一の長さだけ筐体２００から引き出される。すなわち、筐体２００から引き出された電気コード５０又は電気コード５５の長さの略２倍の長さが、コードリール４のプラグ受け６０に接続して用いられる電気機器とコンセント５との間の距離に該当する。
【００６２】
例えば、筐体２００からプラグ受け６０を所定の方向８１０に引き出すことに伴い、電気コード５０も筐体２００から引き出される。これに伴い、電気コード５５も筐体２００から所定の方向８２０に電気コード５０と実質的に同一の長さだけ引き出される。電気コード５０が引き出された長さだけ、コードリール４を所定の方向８００に移動させることができる。
【００６３】
なお、本実施の形態においては電気コード５０及び電気コード５５をドラムに規則的に巻きつけることを要するので、ドラムに電気コード用の溝、電気コード巻き付け用のガイド、又は電気コードを巻きつける位置をドラムの回転に伴って移動させるガイド機構を設けることもできる。
【００６４】
図１０は、本考案の第１乃至第５の実施の形態に係るコードリールを用いたコード接続型電気掃除機の概要の一例を示す。
【００６５】
本実施の形態に係るコードリールを用いて電力が供給される掃除機７は、コードリールの相手機器であるコード接続型電気掃除機である。すなわち、掃除機７は、外部から電力を受け取る電気プラグ部としての凹みプラグ３１０を備え、掃除機７の筐体から引き出される電気コード、及び当該電気コードの先端に設けられるプラグを有さない構成になっている。
【００６６】
掃除機７は、凹みプラグ３１０からプラグ受け６１が容易に引き抜かれることを抑制するロック機構（ロック部）３を備える。ロック機構３は、第４の実施の形態と同様に構成することができる。
【００６７】
図１１は、本考案の第１乃至第５の実施の形態に係るコードリールを用いたコード接続型電動工具の概要の一例を示す。
【００６８】
本実施の形態に係るコードリールを用いて電力が供給される電動工具８は、コードリールの相手機器であるコード接続型電動工具である。すなわち、電動工具８は、外部から電力を受け取る電気プラグ部としての凹みプラグ３１０を備え、電動工具８の筐体から引き出される電気コード、及び当該電気コードの先端に設けられるプラグを有さない構成になっている。
【００６９】
電動工具８は、プラグ受け６０が挿入される凹みプラグ３１０を備える。コードリール２は、プラグ受け６０を介して外部の電源からの電力を電動工具８に供給する。なお、コードリール２が備えるプラグ受け６０を、第４の実施の形態において説明したプラグ受け６１にすることもできる。この場合、電動工具８は、掃除機７と同様に、凹みプラグ３１０からプラグ受け６１が容易に引き抜かれることを抑制するロック機構３を備えることもできる。
【００７０】
図１２は、本考案の第１乃至第５の実施の形態に係るコードリールを用いたコード接続型電気アイロンの概要とアイロン台に適用したコードリールの一例を示す。
【００７１】
本実施の形態に係るコードリールを用いて電力が供給される電気アイロン１８は、コードリールの相手機器であるコード接続型の電気アイロン１８である。すなわち、図１２（ａ）に示すように電気アイロン１８は、外部から電力を受け取る電気プラグ部としての凹みプラグ３１０を備え、電気アイロン１８の筐体から引き出される電気コード、及び当該電気コードの先端に設けられるプラグを有さない構成になっている。また、図１２（ｂ）に示すように、アイロン台１９に第１乃至第５の実施の形態に係るコードリールの構成及び機能の一部又は全部を適用することができる。
【００７２】
また、電気アイロン１８は、電気コード５０を凹みプラグ３１０にロックするロック機構１２０を備える。ロック機構１２０は、平面視にて縦方向に延びる長穴１２４及びプラグ受け６０を通す通し穴１２６を含む可動板１２２を有して構成される。ここで、凹みプラグ３１０の開口近傍には突起１２８が設けられている。そして、突起１２８が長穴１２４に嵌め込まれることにより、可動板１２２は電気アイロン１８に接続される。この場合において、突起１２８は、先端部分の径より凹みプラグ３１０側の方が小さな径になっており、可動板１２２は、突起１２８によって鉛直方向にスライド可能に接続されている。
【００７３】
プラグ受け６０を凹みプラグ３１０に挿入する場合、図１２（ｃ）の左に示すように、まず、可動板１２２を上方向にスライドさせ、凹みプラグ３１０の開口と通し穴１２６とを一致させる。そして、この状態でプラグ受け６０を凹みプラグ３１０に挿入する。続いて、可動板１２２は自重で下方向にスライドする。これにより、凹みプラグ３１０の開口の一部を可動板１２２が閉鎖して、プラグ受け６０が凹みプラグ３１０にロックされる。
【００７４】
なお、可動板１２２を下方向にスライドさせる場合、板ばね等の弾性部材を用い、強制的に凹みプラグ３１０の開口の一部を閉鎖する機構を設けることもできる。また、アイロン台１９は、未使用時において電気掃除機等の家電を載せる台として用いてもよい。
【００７５】
以上、本考案の実施の形態を説明したが、上記に記載した実施の形態は実用新案登録請求の範囲に係る考案を限定するものではない。また、実施の形態の中で説明した特徴の組合せの全てが考案の課題を解決するための手段に必須であるとは限らない点に留意すべきである。
【符号の説明】
【００７６】
１、２、４、４ａ  コードリール
３  ロック機構
５  コンセント
７  掃除機
８  電動工具
９  部屋
１０、１１、１２、１４、１６  ドラム
１８  電気アイロン
１９  アイロン台
２０  支持部
３０  スタンド
３５  脚
３７  足
３９  吸盤
４０  回転部
４５  プラグ受け側巻き取りゼンマイ
４６  ゼンマイ
４７  プラグ側巻き取りゼンマイ
５０  電気コード
５２  電気コード
５５  電気コード
６０、６１  プラグ受け
６２  プラグ受け側ブレーキ部
６４  プラグ受け側ブレーキ解除部
６５  プラグ
６７  プラグ側ブレーキ部
６９  プラグ側ブレーキ解除部
７０、７２  回転軸
８０  持ち手
８５  グリップ
８７  取っ手
８９  キャスター
９０、９２、９４、９６  接触端子
１００、１０５  配線
１１０  溝
１２０  ロック機構
１２２  可動板
１２４  長穴
１２６  通し穴
１２８  突起
２００  筐体
２１０  引き出し口
３００  ロックブロック
３０２凸部
３１０  凹みプラグ
３１２  軸
３１４  ピン
３１６  挿入部
４００、４０５  接触部
５００、５１０  芯線
５２０  折り返し部分
５５０、５５５  芯線
６００  凹み部
６０２  凸部
７００、７０５  接触部
８００、８１０、８２０  方向
【図１】
0003184109.tif 000003
【図２】
0003184109.tif 000004
【図３】
0003184109.tif 000005
【図４】
0003184109.tif 000006
【図５】
0003184109.tif 000007
【図６】
0003184109.tif 000008
【図７】
0003184109.tif 000009
【図８】
0003184109.tif 000010
【図９】
0003184109.tif 000011
【図１０】
0003184109.tif 000012
【図１１】
0003184109.tif 000013
【図１２】
0003184109.tif 000014